(57)【要約】【課題】透明シートの高さを自在に調整できる可動式パーテーションを提供する。【解決手段】問診時には透明シート１３を降下させて飛沫感染の防止を図り、診察時には透明シートを上昇させて診察を行い、ワクチン接種時には被接種者の肩の位置に合わせて透明シートの高さを自在に調整できる可動式パーテーション１１であって、可動式パーテーションは、キャスター１５を備える支持台１６の上部に設けられる矩形状のフレーム１２と、フレームの上部に設けられ透明シートが巻き取られるロールスクリーン１４とから構成され、透明シートは、任意の位置まで降下及び上昇させて停止可能な構成であることである。【選択図】図１
0003232050.tif 000002
【実用新案登録請求の範囲】
【請求項１】
問診時には透明シートを降下させて飛沫感染の防止を図り、診察時には前記透明シートを上昇させて診察を行い、ワクチン接種時には被接種者の肩の位置に合わせて前記透明シートの高さを自在に調整できる可動式パーテーションであって、
該可動式パーテーションは、キャスターを備える支持台の上部に設けられる矩形状のフレームと、該フレームの上部に設けられ前記透明シートが巻き取られるロールスクリーンとから構成され、
前記透明シートは、任意の位置まで降下及び上昇させて停止可能な構成であること
を特徴とする可動式パーテーション。
【請求項２】
前記ロールスクリーンは、巻き取りパイプに取り付けられる延出シートと、該延出シートの先端部に設けられるメス型レールとを備え、
前記透明シートの上端部には、オス型レールが設けられており、
前記メス型レールに対して前記オス型レールを挿着及び取外し可能な構成であること
を特徴とする請求項１に記載の可動式パーテーション。
【請求項３】
前記透明シートの両方の端部が、前記フレームの内側に設けられたレールに嵌まって降下及び上昇すること
を特徴とする請求項１に記載の可動式パーテーション。
【請求項４】
前記透明シートの下端部には、フラットバーが設けられていること
を特徴とする請求項１に記載の可動式パーテーション。
【考案の詳細な説明】
【技術分野】
【０００１】
本考案は、可動式パーテーションに関するものであり、更に詳しくは、医療機関などにおいて、問診時には透明シートを降下させて飛沫感染の防止を図り、診察時には透明シートを上昇させて診察を行い、ワクチン接種時には被接種者の肩の位置に合わせて透明シートの高さを自在に調整できる可動式パーテーションに関するものである。
【背景技術】
【０００２】
従来、この種のパーテーションとしては、特許文献１に開示されているように、スタンドに矩形状の透明なプラスチック板を設けた飛沫感染防止用のパーテーションが知られている（特許文献１参照）。
また、特許文献２に開示されているように、矩形状で透明なアクリル板の両方の側部に、側板をヒンジ部で接続して、折り畳み自在な構成にした飛沫感染防止用のパーテーションが知られている（特許文献２参照）。
【先行技術文献】
【特許文献】
【０００３】
【特許文献１】実用新案登録第３２２８２１７号公報
【特許文献２】実用新案登録第３２２８０６５号公報
【考案の概要】
【考案が解決しようとする課題】
【０００４】
この従来例のパーテーションにおいては、医療機関などで用いるときに、対面での問診時に飛沫感染の防止が図れるとしても、聴診器等を使って患者を診察する時やワクチン接種時にはプラスチック板やアクリル板が邪魔になるという問題点を有している。
【０００５】
従って、従来例におけるパーテーションにおいては、対面での問診時に飛沫感染の防止を図るだけでなく、聴診器等を使って患者を診察する時やワクチン接種時に、仕切り板やプラスチック板が邪魔にならずに、効率的に診察やワクチン接種が行えるようにすることに解決しなければならない課題を有している。
【課題を解決するための手段】
【０００６】
前記従来例の課題を解決するための本考案の要旨は、問診時には透明シートを降下させて飛沫感染の防止を図り、診察時には前記透明シートを上昇させて診察を行い、ワクチン接種時には被接種者の肩の位置に合わせて前記透明シートの高さを自在に調整できる可動式パーテーションであって、該可動式パーテーションは、キャスターを備える支持台の上部に設けられる矩形状のフレームと、該フレームの上部に設けられ前記透明シートが巻き取られるロールスクリーンとから構成され、前記透明シートは、任意の位置まで降下及び上昇させて停止可能な構成であることである。
【０００７】
また、前記ロールスクリーンは、巻き取りパイプに取り付けられる延出シートと、該延出シートの先端部に設けられるメス型レールとを備え、前記透明シートの上端部には、オス型レールが設けられており、前記メス型レールに対して前記オス型レールを挿着及び取外し可能な構成であること、；
前記透明シートの両方の端部が、前記フレームの内側に設けられたレールに嵌まって降下及び上昇すること、；
前記透明シートの下端部には、フラットバーが設けられていること、；
を含むものである。
【考案の効果】
【０００８】
本考案に係る可動式パーテーションによれば、医療機関などにおいて、問診時には透明シートを降下させて飛沫感染の防止を図り、診察時には透明シートを上昇させて診察を行い、ワクチン接種時には被接種者の肩の位置に合わせて透明シートの高さを自在に調整できるので、従来例のように透明シートが邪魔にならず、飛沫感染の防止を図りながら効率的に問診、診療及びワクチン接種が行えるという優れた効果を奏する。
【０００９】
ロールスクリーンは、巻き取りパイプに取り付けられる延出シートと、延出シートの先端部に設けられるメス型レールとを備え、透明シートの上端部には、オス型レールが設けられており、メス型レールに対してオス型レールを挿着及び取外し可能な構成であることによって、透明シートを取り外すことが容易である。その結果、透明シートが汚れたり破損したときに、取り外して清掃や交換が容易に可能であるという優れた効果を奏する。
【００１０】
透明シートの両方の端部が、フレームの内側に設けられたレールに嵌まって降下及び上昇することによって、透明シートの降下、上昇及び停止が安定しておこなえ、フレームからズレないという優れた効果を奏する。
【００１１】
透明シートの下端部には、フラットバーが設けられていることによって、透明シートの降下、上昇及び停止時にフラットバーを手で持って安定的に操作できるという優れた効果を奏する。
【図面の簡単な説明】
【００１２】
【図１】本考案に係る可動式パーテーションの斜視図である。
【図２】（Ａ）ロールスクリーンの構造を説明する斜視図である。（Ｂ）ロールスクリーンの構造を略示的に説明する側面図である。
【図３】問診時に透明シートを降下させた可動式パーテーションを示す説明図である。
【図４】ワクチン接種時に透明シートの高さを調整した可動式パーテーションを示す説明図である。
【考案を実施するための形態】
【００１３】
次に、本考案の実施の形態について図面を参照しながら説明する。まず、図１において、符号１１は可動式パーテーションを示し、この可動式パーテーション１１は、キャスター１５を備える支持台１６の上部に設けられる矩形状のフレーム１２と、フレーム１２の上部に設けられ透明シート１３が巻き取られるロールスクリーン１４とから構成される。
可動式パーテーション１１の寸法の一例をあげると、全高は１６００ｍｍ程度であり、幅は７００〜９００ｍｍ程度である。
【００１４】
フレーム１２は、キャスター１５を備える一対の支持台１６の上部に設けられており、キャスター１５の存在によって、可動式パーテーション１１を任意の位置にスムーズに移動できる。
また、フレーム１２の左右両方の内側には、レール１７が設けられている。なお、図１及び図２（Ａ）中の符号２４は、ヘッド部を示す。図１中の符号２５は、取り外し可能な側板を示し、透明シート１３を取り外すときには、側板２５を取り外しておこなう。
【００１５】
ロールスクリーン１４は、従来周知の構成であり、透明シート１３を手で引っ張ると降下し、任意の位置で離すと停止し、さらに軽く引っ張ると巻き取られて上昇する仕組みになっている。
【００１６】
また、ロールスクリーン１４は、フレーム１２の上部のヘッド部２４近傍の内側にブラケット１８を介して取り付けられており、図２（Ａ）（Ｂ）に示すように、巻き取りパイプ１９と、巻き取りパイプ１９に取り付けられる延出シート２０とから概略なり、延出シート２０の先端部には、メス型レール２１が設けられている。
なお、ロールスクリーン１４は、ブラケット１８に替えて、フレーム１２の上部に設ける磁石（図示せず）により吸着させて取り付けてもよい。
【００１７】
透明シート１３は、その寸法の一例をあげると、長さは８００ｍｍ程度であり、幅は７００ｍｍ程度である。
また、透明シート１３は、図２（Ａ）（Ｂ）に示すように、上端部にオス型レール２２が設けられており、このオス型レール２２を延出シート２０のメス型レール２１に対して挿着及び取外しが可能な構成である。
従って、透明シート１３は容易に取り外すことができるので、透明シート１３が汚れたり破損したときに、取り外して清掃や交換が簡単である。
【００１８】
透明シート１３の両方の端部は、フレーム１２の内側に設けられたレール１７に嵌まった状態で降下及び上昇する構造になっている。従って、透明シート１２の降下、上昇及び停止が安定しておこなえ、フレーム１２からズレない。
【００１９】
透明シート１３の下端部には、フラットバー２３が設けられている。従って、透明シート１３の降下、上昇及び停止時にフラットバー２３を手で持って安定的に操作することができる。
【００２０】
以上のように構成される可動式パーテーション１１は、医療機関などにおいて、図３に示すように、対面での問診時に透明シート１３を降下させて飛沫感染の防止を図ることができる。また、聴診器を使うなどの患者を診察する時には透明シートを上昇させて診察を行える。さらには、図４に示すように、ワクチン接種時には被接種者の肩の位置に合わせて透明シート１３の高さを自在に調整できる。従って、従来例のように透明シートが邪魔にならずに、飛沫感染の防止を図りながら効率的に問診、診察、及びワクチン接種が行える。
【産業上の利用可能性】
【００２１】
医療機関における問診時、診療時及びワクチン接種時だけでなく、様々な業種の窓口、受付、店頭、会議室、あるいは日常生活などにおいて、飛沫感染の防止を図るために本考案の可動式パーテーションを使用することが可能である。
【符号の説明】
【００２２】
１１  可動式パーテーション
１２  フレーム
１３  透明シート
１４  ロールスクリーン
１５  キャスター
１６  支持台
１７  レール
１８  ブラケット
１９  巻き取りパイプ
２０  延出シート
２１  メス型レール
２２  オス型レール
２３  フラットバー
２４  ヘッド部
２５  側板
【図１】
0003232050.tif 000003
【図２】
0003232050.tif 000004
【図３】
0003232050.tif 000005
【図４】
0003232050.tif 000006